(57)【要約】  【課題】  本発明は、蒸しタオルとして使用する際には、お風呂のお湯でも十分な蒸し具合を得られ、洗顔使用でも違和感のない清潔なフェイスタオルを提供する事を目的とする。  【解決手段】  請求項１では、タオルの呼吸穴をメッシュ状に施した事により、呼吸穴の機能を保ちながら、指の引っ掛かりや穴の型崩れ等を防止した。請求項２では、タオルに目鼻や顔等の絵柄を表示し、上下左右の向きを一目で分かるようにして誤使用を防止した。請求項３では、多層式は不潔になり易いものであるが、フェイスタオルを展開可能にした事により、洗い易く乾かし易くなり、蒸し具合の良い多層式のフェイスタオルを衛生的に実現した。また使用時の為に呼吸穴のずれ防止手段を設けた。請求項４では、タオルに目鼻や顔等の絵柄を表示し上下左右の向きを一目で分かるようにして、請求項３におけるずれ防止手段が利かなくなる間違った使用を防止した。  【選択図】  図１
2008278927.tif 000002
【特許請求の範囲】
【請求項１】
タオルにメッシュ状に施した呼吸穴を設ける事を特徴とするフェイスタオル。
【請求項２】
呼吸穴が設けられたタオルに目鼻や顔等の絵柄を表示し使い道や使い方を想起させる事を特徴とするフェイスタオル。
【請求項３】
展開可能なタオルの各層中央付近に呼吸穴を設け、各層の呼吸穴の位置がずれないようずれ防止手段が設けられた事を特徴とするフェイスタオル。
【請求項４】
タオルに目鼻や顔等の絵を表示し使い道や使い方を想起させる事を特徴とする請求項３に記載のフェイスタオル。
【発明の詳細な説明】
【技術分野】
【０００１】
本発明は、蒸しタオルとして使用したり、洗顔時に使用するフェイスタオルに関する。
【背景技術】
【０００２】
フェイスタオルは、洗顔後に顔を拭いたり、入浴時に体や顔を擦り洗うのに使ったり、また蒸しタオルとして顔に覆う等の使い方があり、一般家庭で様々な使い方がされている。しかし、従来のタオルは長方形の薄いタオルであり、蒸しタオルとして使う際、タオルを２回３回と折り畳んで厚みを持たせて顔に覆わなければならず、また呼吸穴がないので息苦しさを我慢しながら使っていたのが現状であった。また最近、タオル中央に横長の切欠部がある蒸しタオル様のものが市販されており、電子レンジで３０秒ほど加熱するだけで顔を蒸らす事が出来るもので安価で優れたものもある。その他、縦長の切欠部と横長楕円型の切欠部が繋がって鼻を出せるようになっているフェイスタオルの発明が提案されており、それを特許文献１とする。
【特許文献１】特開２００２-３１５６２６
【発明の開示】
【発明が解決しようとする課題】
【０００３】
しかしながら、前記の横長の切欠部がある蒸しタオルは、電子レンジ加熱ですぐ蒸しタオルとして使え安価で優れているものの、入浴時のお湯では、４０度の低温である事と生地の薄さが相まって十分な蒸し具合が得られないものであった。また、湯船で水分を多く含ませると自重で薄い生地と呼吸穴が型崩れしたり、指が穴に引っ掛かる等の違和感があり、他、どの方向で使って良いのか縦横の向きが分かり難い等の不便があった。見た目からして何の為の物なのか分かり難く、知らない家族に別の用に使用されてしまわないかという懸念もある。
【０００４】
そこで試行的に、上記のものを用いてお風呂のお湯でも良好な蒸し具合が出せないものかと３枚以上を重ねて使用したところ、保温時間が延びたものの、それぞれの呼吸穴が型崩れやずれが生じ息苦しく不便であった。そこで更にその全周縁を縫合して使用を試みたところ、多くが改善したものの内側層が洗い難く乾き難い為に数日で臭いが発生する等別の問題が生じてしまった。多層式にすればするほど蒸し具合が良くなるが、不潔になり易いという事も判明した。
【０００５】
その他、特許文献１のフェイスタオルは、手軽であり、鼻の付け根の隙間や頬の曲面にも密着するなどの工夫で優れたものである。しかしながら、お風呂のお湯で顔を蒸す場合や体や顔の擦り洗いに用いたりするには、前記横長の切欠部のある蒸しタオルと同様の問題があると思慮される。
【０００６】
本発明は上記従来技術の問題点に鑑み、お風呂のお湯でも重厚な蒸し具合を得られ、洗顔使用でも違和感のない清潔なフェイスタオルを提供する事を目的とする。
【課題を解決するための手段】
【０００７】
上記目的を達成する為に請求項１では、タオルにメッシュ状に施した呼吸穴を設ける事を特徴とする。
【０００８】
これは見た目の違和感だけでなく、穴に指が引っ掛かる等の洗顔使用の際の違和感を解消すものである。メッシュ生地なので呼吸も楽にでき、穴の型崩れも防ぐものである。
【０００９】
請求項２では、呼吸穴が設けられたタオルに目鼻や顔等の絵柄を表示し使い道や使い方を想起させる事を特徴とする。
【００１０】
従来の呼吸穴が設けられたフェイスタオルは、横長の切欠部があるものや縦長の切欠部の下に横長楕円の切欠部が繋がっているものなど様々提案されているが、ただ穴が開いてるだけでは、水分を含んで形が崩れる中、穴の形状や位置的な特徴を見いだして上下左右の向きを判断するしかなく、間違ったり迷ったりと不便であった。そこで顔に見立てた絵の向きで上下左右の向きを一目で分かるようにするものである。また、穴が開いているだけでは、使い方も使い道も見当も付かないものであったが、顔の絵でフェイスタオルである事が連想され、家族に雑巾として誤使用される心配もなくなる。
【００１１】
請求項３では、展開可能なタオルの各層中央付近に呼吸穴を設け、各層の呼吸穴の位置がずれないようずれ防止手段が設けられた事を特徴とする。
【００１２】
４０度前後のお風呂のお湯でも、永く良好な蒸し具合を得る為には、お湯や熱い蒸気を多く取り込める重厚な多層式にする必要があるが、縫い合わせた多層式は、深部まで洗い難く乾かし難いという問題が発生する事から、展開可能で各呼吸穴が不揃いにならない為のずれ防止手段を設けたものである。不潔になり易い多層式を、衛生的に実現するものである。この請求項３によって多層式を問題なく実現できるので使用時に一々タオルを折り畳む手間もなく、そのままお風呂のお湯等で重厚な蒸し具合が得られ、使用後に展開して洗い易く乾かし易くしたものである。
【００１３】
請求項４では、請求項３において、タオルに目鼻や顔等の絵を表示し使い道や使い方を想起させる事を特徴とする。
【００１４】
展開可能でずれ防止手段を設けている請求項３においては、上下左右の持ち方を間違えると、呼吸穴のずれ防止手段が利かない等の不具合が生じる事から、特に上下左右が分かり易い事が必要である。そこで顔に模した絵柄等の表示によって一目で分かり、間違った使用を防止するものである。
【発明の効果】
【００１５】
請求項１によれば、呼吸穴としての機能を保ちながら、呼吸穴の型崩れを防止する効果がある。また、見た目の違和感と指が穴に引っ掛かる等の使用上の違和感を解消する効果がある。また若干ではあるが、完全な穴であるよりも保温する効果がある。
【００１６】
請求項２によれば、顔に用いるフェイスタオルであると推察が容易になり、上下左右の向きが一目で分かり、迷ったり間違った使用を防止する効果がる。
【００１７】
請求項３によれば、ずれ防止手段を兼ね備えた展開可能なフェイスタオルとした事で、洗い易く乾かし易くなり、衛生的な多層式のフェイスタオルが実現できる。多層式になれば、その分多くの熱い蒸気を取り込み、永く温度と湿度を保持できるので、４０度前後のお風呂のお湯でも良好な蒸し具合を実現できるものである。ずれ防止手段については、フェイスタオルの上辺を掴んだ際、上辺の留め縫いと各タオル生地の自重が作用して各呼吸穴の位置が揃う事で呼吸穴のずれを防止するものである。
【００１８】
請求項４によれば、上下左右の向きが一目で分かるようにする事で、請求項３のずれ防止手段が利かなくなる間違った使用を防止する効果がる。
【００１９】
以上の通り、蒸しタオルとして使用する際には、お風呂のお湯でも十分な蒸し具合を得られ、洗顔使用でも違和感のない清潔なフェイスタオルを提供する事ができる。
【発明を実施するための最良の形態】
【００２０】
次に本発明の実施の形態について図面を基づき説明する。
【００２１】
本発明によるフェイスタオル１は、図１に示す通り、四隅を丸くカットしたタオル生地２の中央付近に呼吸穴３を設け、同所にメッシュ生地４を設けている。フェイスタオル１の周縁と呼吸穴３の周縁は、周縁縫合５を施しており、図の通りに限定するものではないがほつれないように縫製する。糸の素材については、出来る限り肌触りの柔らかいものが望ましい。
【００２２】
フェイスタオル１の中央付近にある呼吸穴３は、限定するものではないが、鼻が詰まっている場合もあるので口呼吸用にフェイスタオル１の中心部よりやや下方に呼吸穴３を設ける方が望ましい。
【００２３】
また蒸しタオルとして使用する際、呼吸穴３が口元に正しく来るよう向きを間違わず、迷う事なく使用できるよう上下左右が一目で分かる方向表示６を施している。この方向表示６は、図示した絵柄に限定するものではないが、呼吸穴３を口や鼻に見立て、その上方に目や眉毛などのデザインを、刺繍や印刷、アップリケ、エンボス等によって表示する事が考えられる。漫画のキャラクター等の顔でも良く、迷わず上下左右の正しい向きが分かると同時に、フェイスタオルである事を想起させる絵柄が望ましい。
【００２４】
フェイスタオル１のタオル生地２は、表裏とも長いパイル織りを施された重厚なものであれば、図２（Ａ）及び（Ｂ）の通り１層式、２層式でも良い。そうでない場合は、それ以上の多層式によって蒸し具合を高めるしかないが、その多層式の場合には、清潔を保つ手段を兼ね備えたものでなければならないので、それは詳しく実施例１として後述する。
【００２５】
呼吸穴３とメッシュ生地４の外形と大きさについては、息が苦しくない程度の大きさで楕円形でも長方形でも良い。出来れば図１に示したような笑顔の口に見立てた半円形など、愛嬌や調和のある形状である事が望ましい。メッシュ生地４は、加工上の利便から図３に示す通り予め周縁がほつれないよう縫製されたメッシュ生地４である事が望ましい。またメッシュ生地４のパターンや目の大きさについても、息苦しくない程度のメッシュ状のものであれば良く図３に示したパターンに限定するものではない。
【００２６】
具体的に呼吸穴３部分にメッシュ生地４をどのように設けるかについては、１層式も含め２層式の図で説明すると図４（Ａ）に示す通り、外側から重ね合わせて縫合する方法があり、２層式では更に図４（Ｂ）に示す通り２層の間に挟んで縫合する方法が考えられる。また、ホットメルト接着する方法もあるが、接着部が堅くなるので縫合する方が望ましい。
【００２７】
その他、図５に示す通りパイル織り７を呼吸穴３部分には設けず、タオル縦糸８とタオル横糸９等によりメッシュ状に織り一体で製造する方法も考えられる。
【実施例１】
【００２８】
前記図２に示したフェイスタオル１は、蒸しタオルとして使用する際、１層式、２層式でも十分な蒸し具合を実現できる重厚な生地を使用した場合の構成であるが、生地によっては薄く、重厚な蒸し具合が出せない場合があるので、それを補う１例として、多層式のフェイスタオル１と清潔を保つ手段を併せて説明する。
【００２９】
図６に示す通り、このフェイスタオル１は、２層式を二つ折りにして展開可能な構成になっている。使用時には合計４層分の厚みで蒸し具合を補完するものである。
【００３０】
この二つ折りで展開可能にした理由は、３層以上の多層式で周縁を縫合すると、深部の濯ぎ洗いが十分に出来ない事と、干す際に乾きが悪く、生乾き臭やカビ臭が発生し易い等の衛生問題があるので、展開して洗い易く乾かし易くしたものである。これが清潔を保つ手段であり、合計４層の例示に限定するものではない。
【００３１】
この構成では、使用の際、展開可能な各タオル生地２の各呼吸穴３の位置が一致した状態でないと呼吸に差し支えるので、各呼吸穴３の位置がずれないよう防止する手段を設けている。そのずれ防止手段については、図７（Ａ）及び（Ｂ）に示す通り、上辺の折り目に沿って留め縫い１０を施すか、図８（Ａ）及び（Ｂ）に示す通り上辺の両隅をラインに沿って数センチメートル留め縫い１０を施す方法が考えられる。尚、図８（Ａ）及び（Ｂ）の場合は、裏返しにしてリバーシブル使用ができるものである。
【００３２】
この留め縫いによるずれ防止手段は、図９に示す通り、フェイスタオル上辺を普通に掴んで顔に覆う際に、各タオル生地２の自重と留め縫い１０が作用して各呼吸穴３の位置が揃うという原理であり、それを図１０に示す通り呼吸ができる状態で顔に覆う事が出来るというものである。方向表示６は、これらの原理を円滑に機能させる補助的な役割がある。
【００３３】
その他のずれ防止手段としては、図示しないが、展開可能なタオル生地２の内側のいずれかの箇所にマジックテープ（登録商標）やホック、ボタン等によるずれ防止手段も考えられる。
【００３４】
尚、フェイスタオル１がしっかりとし、呼吸穴３の型崩れ等の違和感が少なければ必ずしもそのように限定するものではないが、図８（Ａ）に示す通り、各呼吸穴３部分をメッシュ状に施す事が望ましい。
【００３５】
本発明によるフェイスタオル１は、お風呂のお湯でも十分な蒸し具合が得られるものであり、勿論、電子レンジ加熱で使用することもできるものである。
【図面の簡単な説明】
【００３６】
【図１】本発明のフェイスタオルの正面図である。
【図２】（Ａ）は、本発明のフェイスタオルを１層式で作った場合の側面図である。（Ｂ）は、本発明のフェイスタオルを２層式で作った場合の側面図である。
【図３】本発明のフェイスタオルの呼吸穴部分に設けるメッシュ生地の正面図である。
【図４】（Ａ）は、本発明のフェイスタオルの呼吸穴部分にメッシュ生地を外側から縫合した場合の部分断面図である。（Ｂ）は、本発明のフェイスタオルの呼吸穴部分のタオル生地の内側にメッシュ生地を挟み縫合した場合の部分断面図である。
【図５】本発明のフェイスタオルの呼吸穴部分をパイル織りの無い縦糸や横糸でメッシュ状に織った部分を示す部分斜視図である。
【図６】本発明のフェイスタオルを２層式の二つ折りで縫製した場合の斜視図である。
【図７】（Ａ）は、本発明のフェイスタオルのずれ防止手段である留め縫い箇所を示した正面図であり、（Ｂ）は、同ずれ防止手段である留め縫い箇所を示した側面図である。
【図８】（Ａ）は本発明のフェイスタオルの別の留め縫い箇所を示した正面図であり、（Ｂ）は、同留め縫い箇所を示した側面図である。
【図９】本発明のフェイスタオルを顔に運ぼうと掴み上げた状況を示す使用説明図である。
【図１０】本発明のフェイスタオルを浴場で使用している様子を示す使用説明図である。
【符号の説明】
【００３７】
１フェイスタオル
２タオル生地
３呼吸穴
４メッシュ生地
５周縁縫合
６方向表示
７パイル織り
８タオル縦糸
９タオル横糸
１０留め縫い
【図１】
2008278927.tif 000003
【図２】
2008278927.tif 000004
【図３】
2008278927.tif 000005
【図４】
2008278927.tif 000006
【図５】
2008278927.tif 000007
【図６】
2008278927.tif 000008
【図７】
2008278927.tif 000009
【図８】
2008278927.tif 000010
【図９】
2008278927.tif 000011
【図１０】
2008278927.tif 000012